(57)【要約】【課題】足部を前後方向へ揺動させる動作と、外側へ開く動作と、回転させる動作とが行い得る足部リハビリ機器を提供する。【解決手段】足部リハビリ機器はベースフレーム１０及び足揺動機構２０を備える。ベースフレーム１０は、地面に立設されるか、部材下に吊下げられた構造体である。足揺動機構２０は、ベースフレーム１０上に設けられるとともに、互いに平行に配設された第１の取付軸部２１及び第２の取付軸部２２を有する。第１の取付軸部２１及び第２の取付軸部２２の両端には、自在軸部材２３がそれぞれ設けられる。自在軸部材２３は、第１の取付軸部２１及び第２の取付軸部２２に挿着する取付部２４を有する。取付部２４の自由端には、支持台２５が枢着される。支持台２５は、第１の取付軸部２１及び第２の取付軸部２２の軸線を中心に回動可能である。支持台２５の底縁には、軸線に沿って延びたスリット２５１が形成される。【選択図】図２
0003205570.tif 000002
【実用新案登録請求の範囲】
【請求項１】
ベースフレーム及び足揺動機構を備えた足部リハビリ機器であって、
前記ベースフレームは、地面に立設されるか、部材下に吊下げられた構造体であり、
前記足揺動機構は、前記ベースフレーム上に設けられるとともに、互いに平行に配設された第１の取付軸部及び第２の取付軸部を有し、前記第１の取付軸部及び前記第２の取付軸部の両端には、自在軸部材がそれぞれ設けられ、前記自在軸部材は、前記第１の取付軸部及び前記第２の取付軸部に挿着する取付部を有し、前記取付部の自由端には、支持台が枢着され、前記支持台は、前記第１の取付軸部及び前記第２の取付軸部の軸線を中心に回動可能であり、前記支持台の底縁には、前記軸線に沿って延びたスリットが形成され、前記支持台の前記スリット上の軸線は、前記第１の取付軸部及び前記第２の取付軸部に対して垂直に交差し、前記スリット上には同一平面の枢着杆が掛け渡され、前記自在軸部材には、前記枢着杆を介して下向へ延びたサスペンダが設けられ、前記第１の取付軸部及び前記第２の取付軸部の同じ側の前記サスペンダの底端には、同じペダルが枢着されていることを特徴とする足部リハビリ機器。
【請求項２】
前記ベースフレームは、第１の支持杆と第２の支持杆とから構成され、
前記第１の支持杆及び前記第２の支持杆の底端には、横杆がそれぞれ設けられ、
前記第２の支持杆の頂端は、フレームの前記枢着杆を介して前記第１の支持杆の頂端に隣接した箇所に枢着され、
前記第２の支持杆と前記第１の支持杆とは、逆Ｖ字状を呈するように地面に安定するように立設されるか、折り畳まれることを特徴とする請求項１に記載の足部リハビリ機器。
【請求項３】
前記第１の支持杆及び前記第２の支持杆の前記横杆両端には、前記ベースフレームの安定性を高めるために滑り止めシートがそれぞれ設けられていることを特徴とする請求項２に記載の足部リハビリ機器。
【請求項４】
前記フレームの枢着点下には、前記ピンを挿通させる少なくとも１つの調整孔が形成され、前記ピンを挿通させると前記第１の支持杆の対向面に当接される前記第２の支持杆の支持角度を変えることが可能であり、前記ピンを引き抜くと前記第１の支持杆及び前記第２の支持杆を折り畳むことが可能であることを特徴とする請求項２に記載の足部リハビリ機器。
【請求項５】
前記足揺動機構の前記自在軸部材の前記支持台に形成されたスリットの両側壁には、上を向いた開口を有するホルダーが形成され、
前記ホルダーには、前記枢着杆が掛け渡され、
前記枢着杆の両端は、係合部材を介して前記支持台上に位置決めされることを特徴とする請求項１に記載の足部リハビリ機器。
【請求項６】
前記足揺動機構の前記自在軸部材の前記支持台は、蓋体により上が覆われて内部の部品が保護されることを特徴とする請求項５に記載の足部リハビリ機器。
【考案の詳細な説明】
【技術分野】
【０００１】
本考案は、トレーニングマシーンに関し、特に、様々な運動を行うことができる足部リハビリ機器に関する。
【背景技術】
【０００２】
一般にトレーニングマシーンを使用する場合、現在行っている手元の作業を止める必要がある上、集中力が散漫となり易く、仕事又は学習の効率上好ましくなく、運動効果も限定的であった。また、年長者又は怪我をしてリハビリを行う者にとっては、長時間立っていることは容易でない上、事故も発生し易いため椅子に座ったまま運動したりリハビリしたりする必要があった。
【０００３】
従来技術には、例えば特許文献１のように椅子にスイングアームが固設されたものや、特許文献２のように椅子の前部にレッグエクステンションが取り付けられているものがあり、前述した特許文献では、軸座の両側にスイングアームが枢着され、各スイングアームの自由端には、ペダルが取り付けられており、ユーザはペダルを両足で踏んで、両足を前後に揺らすスライド運動を行って軽い運動を行うことができた。しかしこれでは筋肉の運動量が十分でなく、関節運動を効果的に行うことができなかったため、構造を複雑にせずに従来の機器の問題点を解決する技術が求められていた。
【先行技術文献】
【特許文献】
【０００４】
【特許文献１】台湾実用新案公告第Ｍ４４７２４９号公報
【特許文献２】台湾実用新案公告第Ｍ４６８３３７号公報
【考案の概要】
【考案が解決しようとする課題】
【０００５】
本考案の第１の目的は、ユーザが座って筋群を活動させることができ、集中力が散漫とならずに軽い運動を行うことができる足部リハビリ機器を提供することにある。
本考案の第２の目的は、構造が簡素で、足部の前後方向への揺動動作と、足部を外側へ開く動作と、足部の回転動作とを行う足部リハビリ機器を提供することにある。
【課題を解決するための手段】
【０００６】
上記課題を解決するために、本考案の第１の形態によれば、ベースフレーム及び足揺動機構を備えた足部リハビリ機器であって、前記ベースフレームは、地面に立設されるか、部材下に吊下げられた構造体であり、前記足揺動機構は、前記ベースフレーム上に設けられるとともに、互いに平行に配設された第１の取付軸部及び第２の取付軸部を有し、前記第１の取付軸部及び前記第２の取付軸部の両端には、自在軸部材がそれぞれ設けられ、前記自在軸部材は、前記第１の取付軸部及び前記第２の取付軸部に挿着する取付部を有し、前記取付部の自由端には、支持台が枢着され、前記支持台は、前記第１の取付軸部及び前記第２の取付軸部の軸線を中心に回動可能であり、前記支持台の底縁には、前記軸線に沿って延びたスリットが形成され、前記支持台の前記スリット上の軸線は、前記第１の取付軸部及び前記第２の取付軸部に対して垂直に交差し、前記スリット上には同一平面の枢着杆が掛け渡され、前記自在軸部材には、前記枢着杆を介して下向へ延びたサスペンダが設けられ、前記第１の取付軸部及び前記第２の取付軸部の同じ側の前記サスペンダの底端には、同じペダルが枢着されていることを特徴とする足部リハビリ機器が提供される。
【０００７】
前記ベースフレームは、第１の支持杆と第２の支持杆とから構成され、前記第１の支持杆及び前記第２の支持杆の底端には、横杆がそれぞれ設けられ、前記第２の支持杆の頂端は、フレームの前記枢着杆を介して前記第１の支持杆の頂端に隣接した箇所に枢着され、前記第２の支持杆と前記第１の支持杆とは、逆Ｖ字状を呈するように地面に安定するように立設されるか、折り畳まれることが好ましい。
【０００８】
前記第１の支持杆及び前記第２の支持杆の前記横杆両端には、前記ベースフレームの安定性を高めるために滑り止めシートがそれぞれ設けられていることが好ましい。
【０００９】
前記フレームの枢着点下には、前記ピンを挿通させる少なくとも１つの調整孔が形成され、前記ピンを挿通させると前記第１の支持杆の対向面に当接される前記第２の支持杆の支持角度を変えることが可能であり、前記ピンを引き抜くと前記第１の支持杆及び前記第２の支持杆を折り畳むことが可能であることが好ましい。
【００１０】
前記足揺動機構の前記自在軸部材の前記支持台に形成されたスリットの両側壁には、上を向いた開口を有するホルダーが形成され、前記ホルダーには、前記枢着杆が掛け渡され、前記枢着杆の両端は、係合部材を介して前記支持台上に位置決めされることが好ましい。
【００１１】
前記足揺動機構の前記自在軸部材の前記支持台は、蓋体により上が覆われて内部の部品が保護されることが好ましい。
【図面の簡単な説明】
【００１２】
【図１】図１は、本考案の一実施形態に係る足部リハビリ機器を示す斜視図である。
【図２】図２は、本考案の一実施形態に係る足部リハビリ機器の主な部材の相対関係を示す分解斜視図である。
【図３】図３は、本考案の一実施形態に係る足部リハビリ機器を折り畳んだときの状態を示す側面図である。
【図４】図４は、本考案の一実施形態に係る足部リハビリ機器を使用するときの状態を示す説明図である。
【図５】図５は、本考案の一実施形態に係る足部リハビリ機器のペダル部を前後方向へ揺動させるときの動作図である。
【図６】図６は、本考案の一実施形態に係る足部リハビリ機器のペダル部を左右方向へ揺動させるときの動作図である。
【図７】図７は、本考案の一実施形態に係る足部リハビリ機器のペダル部を回転させるときの動作図である。
【考案を実施するための形態】
【００１３】
以下、本考案の実施形態について図に基づいて説明する。なお、これによって本考案が限定されるものではない。
【００１４】
図１〜図３を参照する。図１〜図３に示すように、本考案の一実施形態に係る足部リハビリ機器のベースフレーム１０上には、足揺動機構２０が設けられる。ベースフレーム１０は、地面に立設した立柱機構でもよいし、シート又はテーブルの天板下に吊下げられた片持ち機構でもよく、ユーザは足揺動機構２０を利用して足部を前後方向へ揺らしたり、両側へ開いたり、回転させたりして足部の運動を行うことができる。
【００１５】
前述したベースフレーム１０は、第１の支持杆１１と第２の支持杆１３とから構成される。第１の支持杆１１及び第２の支持杆１３の底端には、横杆１２，１４がそれぞれ設けられている。横杆１２及び横杆１４の両端には、ベースフレーム１０の安定性を高めるために滑り止めシート１２０，１４０がそれぞれ設けられる。第２の支持杆１３の頂端は、フレーム１５の枢着杆１６を介して第１の支持杆１１の頂端部に隣接した箇所に枢着され、第２の支持杆１３と第１の支持杆１１とを逆Ｖ字状を呈するように地面に安定するように立設させたり（図１を参照する）、折り畳んだりすることができる（図３を参照する）。フレーム１５の枢着点下には、ピンを挿通させる少なくとも１つの調整孔１７が形成され、ピン１８を挿通させると第１の支持杆１１の対向面に当接される第２の支持杆１３の支持角度を変え、ピン１８を引き抜くと第１の支持杆１１及び第２の支持杆１３を容易に折り畳んで、収納及び搬送に必要な空間を小さくすることができる。
【００１６】
前述した足揺動機構２０は、ベースフレーム１０上に設けられるとともに、互いに平行に配設された第１の取付軸部２１及び第２の取付軸部２２を有する。第１の取付軸部２１及び第２の取付軸部２２の両端には、自在軸部材２３がそれぞれ設けられる。これら複数の自在軸部材２３は、第１の取付軸部２１及び第２の取付軸部２２に挿着する取付部２４を有する。これら複数の取付部２４の自由端には、支持台２５が枢着され、支持台２５は、第１の取付軸部２１及び第２の取付軸部２２の軸線を中心に回動可能である。支持台２５の底縁には、前述した軸線に沿って延びたスリット２５１が形成され、これら複数の支持台２５に形成されたスリット２５１の両側壁には、上を向いた開口を有するホルダー２５２が設けられている。ホルダー２５２には、前述した軸線と垂直に交差されて掛け渡される同一平面の枢着杆２５３が設けられる。枢着杆２５３の両端は、係合部材２５４を介して支持台２５上に位置決めされる。支持台２５は、上が蓋体２５５により覆われて内部の部品を保護する。足揺動機構２０の第１の取付軸部２１及び第２の取付軸部２２の自在軸部材２３上には、枢着杆２５３を利用して下向へ延びたサスペンダ２６が設けられ、第１の取付軸部２１及び第２の取付軸部２２両端の同じ側のサスペンダ２６の底端には、ペダル２８が枢着されている。ペダル２８の同じ側に設けられたサスペンダ２６が、ベースフレーム１０の前後方向でスライドされて左右に開かれ、楕円形を描くように回転され、様々なリハビリ方式を行うことができるが、その構造は簡素である。
【００１７】
本考案を実際に使用する際、図１、図４及び図５に示すように、ユーザは椅子に座った後、両足で本考案の足部リハビリ機器の足揺動機構２０両側に設けられたペダル２８を足踏みして両足を交互にスライドさせると、両側のペダル２８のサスペンダ２６がそれぞれ駆動される。各サスペンダ２６が自在軸部材２３の支持台２５上に枢着されているため、各支持台２５は、第１の取付軸部２１及び第２の取付軸部２２内に固設された取付部２４を枢軸の中心として回動され、両側のペダル２８を前後へスライドさせてリハビリを行い、大腿の筋肉を伸縮させてトレーニングすることができる。
【００１８】
図４及び図６に示すように、ユーザの両足を外側へ開くと、足揺動機構２０の両側に設けられたペダル２８のサスペンダ２６が駆動され、足揺動機構２０の自在軸部材２３の支持台２５がスリット２５１を有するため、サスペンダ２６により枢着杆２５３を中心に左右方向へ揺動される。そのため両側のペダル２８を利用して両足を外側へ開き、人体の大腿内側の筋肉を伸ばす訓練を行う。
【００１９】
図４及び図７を参照する。図４及び図７に示すように、ユーザが両足を足揺動機構２０の両側に設けたペダル２８に置いて、片足又は両足を持ち上げて楕円を描くように回転させ、両側の自在軸部材２３の支持台２５と枢着杆２５３の軸線とが同一平面を呈するように垂直に交差し、自在軸のような効果を得ることができる。そのため、ペダル２８の２つのサスペンダ２６が楕円を描くように円滑に動作され、足部の各筋肉及び関節を同時に訓練することができる。
【００２０】
上述したことから分かるように、本考案の足部リハビリ機器は、両側に設けられたペダルをユーザが足踏みし、両足を前後方向へ交互にスライドさせたり外側へ開いたりすることにより、両側の足揺動機構のペダルの自在軸部材を利用して両足のスライド運動又は股開き運動を行うことができ、自在軸部材中の支持台及び枢着杆の軸線が同一平面を呈して垂直に交差されているため、楕円形を描くようにペダルが円滑に動き、ユーザは足を楕円形を描くように動かして足部の各筋肉及び関節を同時に訓練することができる。このようにユーザは様々な運動を行うことができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１０  ベースフレーム
１１  第１の支持杆
１２  横杆
１３  第２の支持杆
１４  横杆
１５  フレーム
１６  枢着杆
１７  調整孔
１８  ピン
２０  足揺動機構
２１  第１の取付軸部
２２  第２の取付軸部
２３  自在軸部材
２４  取付部
２５  支持台
２６  サスペンダ
２８  ペダル
１２０  滑り止めシート
１４０  滑り止めシート
２５１  スリット
２５２  ホルダー
２５３  枢着杆
２５４  係合部材
２５５  蓋体
【図１】
0003205570.tif 000003
【図２】
0003205570.tif 000004
【図３】
0003205570.tif 000005
【図４】
0003205570.tif 000006
【図５】
0003205570.tif 000007
【図６】
0003205570.tif 000008
【図７】
0003205570.tif 000009